【事件の表示】
　特許第３２９２８３９号「冷蔵庫」の請求項１に係る特許に対する特許異議の申立てについて、次のとおり決定する。
【結　論】
　訂正を認める。
　特許第３２９２８３９号の請求項１に係る特許を取り消す。
【理　由】
１　手続の経緯・本件発明
　
　特許第３２９２８３９号の請求項１に係る発明についての出願は、平成１１年５月２７日に出願され、平成１４年３月２９日にその特許の設定登録（同年６月１７日特許掲載公報発行）がなされたが、同年８月２１日に石坂満洲雄、同年１２月３日に熊田尚代、同月１７日に小西淳子、同日に渋谷謙次郎よりそれぞれ特許異議の申立てがなされ、当審において平成１５年５月２８日付けの取消理由が通知（同年６月６日発送）され、その指定期間内の同年８月５日に訂正請求書（以下「本件訂正」という。）が提出されたものである。
　
２　訂正の適否について
　
(1)訂正の内容
　
　本件訂正の内容は以下のとおりである。
・訂正事項ａ：本件の特許請求の範囲請求項１に記載された「断熱材」を「発泡断熱材」とし、同じく「電気部品」を「複数の電気部品」とし、同じく「中継コード」を「複数の中継コード」とし、同じく「圧着・圧接中継型接続端子を介して接続され」を「圧着・圧接中継型接続端子を介して接続されるとともに前記複数の中継コードの長さを変えることにより、前記複数の電気部品の先端と前記複数の中継コードの先端とに圧着型接続端子を用いて接続した場合よりも前記取り出し口を小型化した」と訂正する。なお、「前記取り出し口」は、「前記取り出し孔」の誤記と認められる。
・訂正事項ｂ：発明の詳細な説明の記載中の段落【００１３】、【００１９】、【００３２】に記載された「断熱材」を「発泡断熱材」とし、同じく「電気部品」を「複数の電気部品」とし、同じく「中継コード」を「複数の中継コード」とし、同じく「圧着・圧接中継型接続端子を介して接続され」を「圧着・圧接中継型接続端子を介して接続されるとともに前記複数の中継コードの長さを変えることにより、前記複数の電気部品の先端と前記複数の中継コードの先端とに圧着型接続端子を用いて接続した場合よりも前記取り出し口を小型化した」と訂正する。
・訂正事項ｃ：発明の詳細な説明の記載中の段落【００１９】に記載された「自動化および小型化が図れる」を「自動化が図れ、中継コードの識別性を高めて組立性が向上する」とし、同じく段落【００３２】に記載された「組み立て工数の大幅な削減によるコスト低減が図れる」を「中継コードの識別性も高まって組み立て工数の大幅な削減によるコスト低減が図れる」と訂正する。
・なお、訂正の事項（要旨）には記載がないが、訂正前に空の段落であった【００１５】〜【００１８】、【００２０】、【００２１】、【００３３】が削除され、訂正前の【００３２】と【００３４】が合併された結果、上記段落【００１９】は【００１５】と、上記段落【００３２】は【００２６】の前段とされ、これに関連して、段落番号が変更されている。また、訂正後の段落【００１５】には、「外箱と、内箱と、前記外箱と内箱間に発泡断熱材を封入してなる断熱箱体と、前記断熱箱体の内側の所定部位に配置される複数の電気部品と、前記断熱箱体の外側に配置される制御基板と、」との記載が加入されている。
　
(2)訂正の目的の適否、新規事項の有無、拡張変更の存否
　
・訂正事項ａは、いずれも特許請求の範囲に記載された「断熱材」、「電気部品」、「中継コード」についてその構成を限定するものであり、また、「中継コード」の長さを変えるとの構成を加えて、「取り出し孔」を小型化したとの構成を付加したものであるから、特許請求の範囲の減縮を目的とした訂正に該当し、また、「発泡断熱材」は願書に添付した明細書の段落【００２４】に記載され、「複数の電気部品」は同じく段落【００２４】及び【００３１】に記載され、「複数の中継コード」は同じく段落【００３１】に記載されかつ図１に図示されているし、「圧着・圧接中継型接続端子を介して接続されるとともに前記複数の中継コードの長さを変えることにより、前記複数の電気部品の先端と前記複数の中継コードの先端とに圧着型接続端子を用いて接続した場合よりも前記取り出し口を小型化した」は、同じく段落【００１１】、【００２８】、【００３１】の記載から自明の範囲であると認められる。
・訂正事項ｂは、特許請求の範囲についての上記訂正事項ａと同様な内容を発明の詳細な説明の記載について訂正するものであるから、明りょうでない記載の釈明に該当するものである。
・訂正事項ｃは、願書に添付した明細書の段落【００１１】、【００２８】、【００３１】の記載から自明の範囲であると認められる。
・また、段落番号の変更は訂正の内容には関係しないし、訂正後の段落【００１５】に加入された上記の訂正も、願書に添付した明細書の範囲内で明りょうでない記載の釈明に該当するものである。
・上記の訂正は、いずれも実質上特許請求の範囲を拡張し、又は変更するものではない。
　
(3)むすび
　
　したがって、本件訂正は、特許法第１２０条の４第２項並びに同条第３項で準用する第１２６条第２項及び第３項に規定に適合するので、本件訂正を認める。
　
３　特許異議の申立てについて
　
(1)本件発明
　
　上記のとおり、上記訂正が認められたので、本件の請求項１に係る発明は、訂正明細書の特許請求の範囲請求項１に記載されたとおりの次のものである。但し、訂正明細書の特許請求の範囲請求項１に記載された「前記取り出し口」は誤記であって、正しくは「前記取り出し孔」であると解されるので、そのように認定した。
「外箱と、内箱と、前記外箱と内箱間に
発泡
複数の
発泡
複数の
るとともに前記複数の中継コードの長さを変えることにより、前記複数の電気部品の先端と前記複数の中継コードの先端とに圧着型接続端子を用いて接続した場合よりも前記取り出し孔を小型化した
　
(2)引用例
　
　ア　特開平７−２９４１０４号公報（以下「引用例１」という。）
　
「本発明は冷蔵庫に係り、特に冷蔵庫の配線まとめの簡略化に関するものである。」（段落【０００１】）
「本発明の実施一例を図１，図２，図３と図４により説明する。１は冷蔵庫本体を示し、この冷蔵庫本体１には冷凍室２，冷蔵室３，チルド室４や野菜室５がある。また冷蔵庫本体１の裏側下部には、庫内を冷却する為の圧縮機７を収納する為の機械室６があり、上部には電子基板８が配置されている。そして、複数の電線を平坦に接合させ帯状に構成したコード１１を冷蔵庫本体１の外壁及び内壁内の断熱部に設置し、これを用いて圧縮機７や冷凍室冷却用ファンモータ９，冷蔵室用照明１０と電子基板８を接続し、庫内温度制御を行なう構造となっている。」（段落【０００７】）
「図４に複数の電線を平坦に接合させ帯状に構成したコード１１−ａの各電線の切断長さを統一させ、部分的に電線を折り返す場合の例を示す。４プラグ用コネクタ１２−ａが電子基板８に、３プラグ用コネクタ１２−ｂが冷凍室冷却用ファンモータ９に、２プラグ用コネクタ１２−ｃが冷蔵室用照明１０にそれぞれ接続される構造となっている。」（段落【００１０】の前段）
　イ　カタログ「WIRE TO CONNECTORS 中継接続用／機器接続用コネクタ」抜粋、日本圧着端子製造株式会社１９９４年８月作成（以下「周知例１」という。）
　
　ウ　カタログ「CONNECTORS CATALOG VOL.101プリント基板用／中継接続用／連続端子」抜粋、日本圧着端子製造株式会社１９９６年６月作成（以下「周知例２」という。）
　
　エ　カタログ「CONNECTORS FOR INTERNAL CONNECTION CATALOG　内部実装用コネクタ」１９９８年１０月、ヒロセ電機株式会社作成（以下「周知例３」という。）
　
　オ　特開平６−２５１８１１号公報（以下「周知例４」という。）
　
「本発明は、中継接続用コネクタに関するものである。」（段落【０００１】）
「第１絶縁ハウジング１は、図１において各コンタクト３に対応して上下方向に８つの開孔１Ａを設けコンタクト３を４つずつ前後に千鳥状に配列している。コンタクト３はばね性のある導電材料で一体的に形成され、主として上端部に設けられ被覆電線５と圧接結線を行うための圧接結線部３Ａと、中間部に設けられこのコンタクト３を第１絶縁ハウジング１に対して固定するための係止固定部３Ｂと、下端部に設けられ後述する第２絶縁ハウジング２の雌形中継プラグコンタクト４と係合する雄形接触子３Ｃとを備えている」（段落【０００７】）
　
　カ　特開平８−２０５２６５号公報（以下「参考例」という。）
　
「本発明は、機器内の配線システムに関し、特に、線材の量が多く、配線距離も長く、しかも配線スペースに限りがある家電用機器、事務機器、屋外配置用機器及び車両、具体的には、冷蔵庫、洗濯機、電子レンジ、掃除機、エアコン、石油ファンヒータ、複写機、自動販売機、自動車等々の機器内配線のコントロールシステムに関する。」（段落【０００１】）
「その従来の機器内配線について、図１６及び図１７を参照して説明する。ここでは、一例として冷蔵庫の配線をとりあげて説明する。図１６は従来例による冷蔵庫の配線方法の概念図、図１７は従来例による冷蔵庫の部分断面図で、配線に関する部品のみを示している。」（段落【０００３】）
「図１６に示す配線の構成は、具体的には図１７に示すとおりである。図１７に示すように、この冷蔵庫は３ドアタイプであり、制御基板１０２は最も上の庫内の裏面に設けられている。そして、この制御基板１０２より各負荷及び各センサに対して信号線１０８が接続されている。負荷としては、例えば表示板２００、庫内灯２０１、ヒータ２０２、ダンパ２０３、ファン２０４、コンプレッサ２０５等がある。また、センサとしては、ドアスイッチ２０６、サーミスタ２０７、製氷ユニット２０８等がある。図面では、判りやすいように信号線１０８を外部に引き出したように描いているが、実際には信号線１０８は冷蔵庫の外装壁内部の断熱材の中を通って配線されている。」（段落【０００５】）
　
(3)対比
　
　本件発明と引用例１記載の発明を対比すると、引用例１記載の「冷凍室冷却用ファンモータ９」及び「冷蔵室用照明１０」は、本件発明の「複数の電気部品」に相当し、以下同様に、「電子基板８」は「制御基板」に、「複数の電線を平坦に接合させ帯状に構成したコード１１」は「複数の中継コード」に相当する。また、引用例１図１によれば、引用例１の内箱及び外箱にはコード１１を取り出す孔が設けられていることは当業者には自明であると認められる。そうすると、本件発明と引用例１記載の発明の一致点及び相違点は、次のとおりであると認められる。
【一致点】
「外箱と、内箱と、前記外箱と内箱間に断熱材を封入してなる断熱箱体と、前記断熱箱体の内側の所定部位に配置される複数の電気部品と、前記断熱箱体の外側に配置される制御基板と、前記断熱材中にコード部分を埋設し両端の接続端子部分を内箱，外箱それぞれに設けた取り出し孔より導出して、前記電気部品と前記制御基板とを電気的に接続する複数の中継コードを備えた冷蔵庫」
【相違点】
　ア　外箱と内箱間に封入する断熱材として、本件発明は「発泡断熱材」を用いたものであるのに対し、引用例１には、断熱材を用いることの記載はあるが、発泡断熱材を用いたことの明示の記載はない点。（以下「相違点Ａ」という。）
　イ　本件発明は、「前記中継コード両端の接続端子部分は、前記コード部分が圧入されることにより前記コード部分と電気的に導通する圧接端子と、この圧接端子を収めるハウジングとよりなる圧接型接続端子とを有し、この圧接型接続端子と前記電気部品とが、前記電気部品のコードの先端に加締められた圧着端子及びこの圧着端子を収めるハウジングとよりなる圧着・圧接中継型接続端子を介して接続される」との構成を具備したものであるのに対し、引用例１には、かかる構成についての記載がない点。（以下「相違点Ｂ」という。）
　ウ　本件発明は、「前記複数の中継コードの長さを変えることにより、前記複数の電気部品の先端と前記複数の中継コードの先端とに圧着型接続端子を用いて接続した場合よりも前記取り出し孔を小型化したこと」との構成を具備したものであるのに対し、引用例１には、かかる構成についての記載がない点。（以下「相違点Ｃ」という。）
　
４　相違点の検討
　
　ア　相違点Ａについて
　
　冷蔵庫の断熱材として「発泡断熱材」を用いることは、本件発明の出願前に広く用いられている周知慣用の技術手段にすぎない。そうすると、相違点Ａに係る本件発明の構成は、引用例１の記載から当業者には自明な事項にすぎないというべきである。
　
　イ　相違点Ｂについて
　
　周知例１及び２は、いずれも本件発明の出願前に頒布されたと認められるカタログであるが、そこには、コード部分が圧入されることにより前記コード部分と電気的に導通する圧接端子と、この圧接端子を収めるハウジングとよりなる圧接型接続端子、及び、コードの先端に加締められた圧着端子と、この圧着端子を収めるハウジングとよりなる圧着・圧接中継型接続端子を組み合わせるコネクタが掲載され、かつ、周知例１には用途として「冷蔵庫」が記載されている（表紙の次の頁を横からみて左上部）。
　周知例３は、本件発明の出願前に頒布されたと認められるカタログであるが、そこにも、上記と同様なコネクタが記載されている。
　周知例４は、中継接続用コネクタの発明に関する特許公開公報であるが、上記３(2)オに摘示した記載並びに図１及び２が図示するところによれば、周知例４には、本件発明の「圧接端子」に相当するコンタクト３を収めたものであって、本件発明の「ハウジング」に相当する第１絶縁ハウジング１とよりなる「圧接型接続端子」、及び本件発明の「加締められた圧着端子」に相当する雌型中継プラグコンタクト４を収めるものであって、本件発明の「ハウジング」に相当する第２絶縁ハウジング２とよりなる「圧着・圧接中継型接続端子」が記載されている。
　これらの事実からみて、本件発明の「圧接型接続端子」及び「圧着・圧接中継型接続端子」からなる「中継コード」とそれを冷蔵庫に用いたことは、本件発明の出願前に周知の技術であったものと認められる。
　なお、仮に上記周知の中継コードを冷蔵庫に用いることまでは周知ではないとしても、参考例をみると、機器内配線コントロールシステムの発明に関する特許公開公報である参考例には、線材の量が多く、配線距離も長く、しかも配線スペースに限りがある冷蔵庫等の家電機器における機器内配線のコントロールシステムに関する発明が記載され（段落【０００１】参照。）、図１７には、冷蔵庫における制御基板１０２と表示板２００、庫内灯２０１、ヒータ２０２、ダンパ２０３、ファン２０４、コンプレッサ２０５等の負荷とを接続する信号線１０８が冷蔵庫の外装壁内部の断熱材の中を通って配線された従来の冷蔵庫が図示されているが、このような冷蔵庫における機器内に設けられた複数の動作部を制御する機器内配線コントロールシステムにおいて、複数の動作部を集中的に制御するコントロールＩＣと、該コントロールＩＣから引き出される共通ラインと、該共通ラインの途中に設けられ前記各動作部に個別配線を行う複数のアドレスＩＣとを備え、前記動作部駆動時には、前記コントロールＩＣからの信号が共通ライン、アドレスＩＣを介して前記各動作部に伝送される一方、前記動作部からの信号受け取り時には、前記各動作部からの信号が共通ライン。アドレスＩＣを介して前記コントロールＩＣに伝送される構成とした発明が記載されている（段落【００１４】参照。）が、更に、上記システムの具体的な接続構造として、アドレスＩＣを搭載し且つ共通ライン側コネクタ及び動作側コネクタのそれぞれに挿入接続するための平板状エッジを有するサブ基板を備え、前記共通ライン側コネクタが前記共通ラインに圧着固定されてなることが記載され（段落【００２０】参照。）、図１３、図１４、図１５は、圧着式コネクタを図示している。このように、冷蔵庫において圧着式コネクタが用いられている事実を参酌すれば、上記認定した周知の技術である圧接型接続端子及び圧着・圧接中継型接続端子からなる中継コードを冷蔵庫に用いることについては、当業者には格別の困難性はないものというべきである。
　そうすると、相違点Ｂに係る本件発明の構成は、周知の技術であるか又は周知の技術を引用例１記載の発明に適用したにすぎないものというべきである。
　
　ウ　相違点Ｃについて
　
　長さが変えられた複数の中継コードは、引用例１の図１、参考例の図１７に図示された従来例による冷蔵庫の配線方法、コネクタ最新技術'９９編集委員会編「コネクタ最新技術'９９」１９９９年３月１日、株式会社日本アドバンストテクノロジー発行、６１頁の図２９に図示されているか示唆されていると認められ、かかる中継コードでは、中継コードの先端の端子を順次取り出し孔に挿通すれば、該取り出し孔を大きくする必要がないこと、すなわち小型化できることは、当業者には自明であると認められる。
　そうすると、相違点Ｃに係る本件発明の構成は、周知の技術を引用例１記載の発明に適用すること及びその適用の結果として当業者には自明な技術的事項に基づいて、当業者が容易に想到できたものというべきである。
　
　本件発明の作用効果を検討しても、当業者が引用例１記載の発明及び周知技術から容易に予測できる程度のものであるから、本件発明は格別顕著な効果を奏するものではない。
　
５　むすび
　
　以上のとおりであるから、本件発明は、引用例１記載の発明及び周知技術に基づいて当業者が容易に発明をすることができたものであるから、本件発明に係る特許は、特許法第２９条第２項に規定に違反して特許されたものである。
　したがって、本件発明についての特許は、特許法第１１３条第２号に該当し、取り消されるべきものである。
　よって結論のとおり決定する。
【異議決定日】
平成１５年９月２日（２００３．９．２）
【訂正の要旨】
審決（決定）の【理由】欄参照。
（５４）【発明の名称】
冷蔵庫
（５７）【特許請求の範囲】
　【請求項１】　外箱と、内箱と、前記外箱と内箱間に
発泡
複数の
発泡
複数の
るとともに前記複数の中継コードの長さを変えることにより、前記複数の電気部品の先端と前記複数の中継コードの先端とに圧着型接続端子を用いて接続した場合よりも前記取り出し口を小型化した
【発明の詳細な説明】
　【０００１】
　【発明の属する技術分野】
　本発明は冷蔵庫における電気配線の接続構成に関するものである。
　【０００２】
　【従来の技術】
　従来より冷蔵庫における電気配線としては、断熱材を封入した断熱箱体中に中継コードを配設して両端に設けた接続端子により庫内側の電気部品と庫外側の制御部を接続することが行われている。
　【０００３】
　上記従来の例として、例えば特開平７−２９４１０４号公報に示されるものがある。以下、図面を参照しながら上記従来の冷蔵庫を説明する。
　【０００４】
　図７は従来の冷蔵庫の断面図である。図８は従来の冷蔵庫に用いられる中継コードの要部平面図である。図９は中継コードの電気部品側の圧着型接続端子の断面図である。図１０は電気部品のコードの圧着型接続端子の断面図である。図１１は中継コードの制御基板側の圧着型接続端子の斜視図である。図１２は制御基板の接続端子の斜視図である。
　【０００５】
　図７から図１２において、１は冷蔵庫本体であり、２は外箱、３は内箱、４は前記外箱２と内箱３間に封入された発泡断熱材である。５ａは冷凍サイクルの圧縮機、５ｂは強制通風用の送風機、５ｃは照明灯である。また、６は前記圧縮機５ａ、送風機５ｂ、照明灯５ｃなどの電気部品５を制御する制御基板であり、７は前記制御基板６と前記電気部品５とを電気的に接続する中継コードである。
　【０００６】
　前記中継コード７はコード８と、前記コード８の一端に取り付けられて前記電気部品５側と接続される圧着型接続端子９、他端に取り付けられて前記制御基板６側と接続される圧着型接続端子１０より構成されている。また、１１は前記電気部品５のコード１２の先端に取り付けられた圧着型接続端子あり、前記中継コードの圧着型接続端子９と接続される。１３は前記制御基板６上に取り付けられた接続端子であり、前記中継コードの圧着型接続端子１０と接続される。
　【０００７】
　そして、中継コード７は制御基板６の近傍の外箱２に開口した取り出し孔１４より前記圧着型接続端子１０を取り出し、内箱３の所定の場所に開口した取り出し孔１５より前記圧着型接続端子９を取り出して、中間のコード８の部分を前記発泡断熱材４中に埋設固定されている。
　【０００８】
　また、圧着型接続端子９はハウジング１６内にコード８を加締めた雌端子１７を挿入固定しており、圧着型接続端子１１はハウジング１８内にコード１２を加締めた雄端子１９を挿入固定している。
　【０００９】
　また、圧着型接続端子１０はハウジング２０内にコード８を加締めた雌端子２１を挿入固定しており、接続端子１３はハウジング２２内に制御基板６上のパターン配線と繋がる雄端子２３を立設固定している。
　【００１０】
　以上のように構成された冷蔵庫において、圧着型接続端子９と圧着型接続端子１１の機械的接続により雌端子１７と雄端子１９が電気的に接続され、圧着型接続端子１０と接続端子１３の機械的接続により雌端子２１と雄端子２３が電気的に接続される。これにより、中継コード７を介して制御基板６と電気部品５とが導通し、圧縮機５ａ、送風機５ｂ、照明灯５ｃなどが駆動、制御されるものである。
　【００１１】
　【発明が解決しようとする課題】
　しかしながら、上記従来例の構成では、中継コード７の両端に用いられている圧着型接続端子９、１０および電機部品５のコード１２の先端に用いられている圧着型接続端子１１はそれぞれ雌端子１７、２１、雄端子１９にコード８、１２を加締めた後、ハウジング１６，１８、２０に挿入し固定するという作業が必要であり、特に、中継コード７の組立においては自動化の対応がし難く組立工数がかかるという欠点があった。また、加締めた端子を挿入固定する寸法的な裕度が必要であり、構造的に接続端子を小さくできないため外箱２、内箱３に開口した接続端子１０、９の取り出し孔１４、１５を小さくできず、このため取り出し孔１４、１５からの発泡断熱材４の漏れや、取り出し孔１５周辺の発泡圧による内箱３の変形防止のための対策が必要になるという欠点があった。
　【００１２】
　本発明は従来の課題を解決するもので、中継コードの接続端子の組立工数低減とコード取り出し孔付近の発泡時の断熱材漏れと内箱変形の防止を目的としている。
　【００１３】
　【課題を解決するための手段】
　この目的を達成するために本発明は、外箱と、内箱と、前記外箱と内箱間に
発泡
複数の
発泡
複数の
るとともに前記複数の中継コードの長さを変えることにより、前記複数の電気部品の先端と前記複数の中継コードの先端とに圧着型接続端子を用いて接続した場合よりも前記取り出し口を小型化した
　【００１４】
　これにより、中継コードの接続端子の組立工数低減と小型化が図れ、取り出し孔が小型化されて発泡時の断熱材漏れや、内箱の変形が防止できる。
　【００１５】
　【発明の実施の形態】
　本発明の請求項１に記載の発明は、外箱と、内箱と、前記外箱と内箱間に
発泡
複数の
発泡
複数の
るとともに前記複数の中継コードの長さを変えることにより、前記複数の電気部品の先端と前記複数の中継コードの先端とに圧着型接続端子を用いて接続した場合よりも前記取り出し口を小型化した
複数の
自動化
、中継コードの識別性を高めて組立性が向上す
　【００１６】
　【実施例】
　以下、本発明による冷蔵庫の実施例について、図面を参照しながら説明する。
　【００１７】
　（実施例１）
　図１は、本発明の実施例１による冷蔵庫の断熱箱体前面の斜視図である。図２は、同実施例の冷蔵庫の断熱箱体背面の斜視図である。図３は電気部品のコードの圧着・圧接中継型接続端子の断面図である。図４は中継コードの電気部品側の圧接型接続端子の断面図である。図５は中継コードの制御基板側の圧接型接続端子の斜視図である。図６は制御基板の接続端子の斜視図である。
　【００１８】
　図１から図６において、２４は冷蔵庫の断熱箱体であり、鋼板製の外箱２５と樹脂製の内箱２６との間にウレタンなどの発泡断熱材２７を発泡充填して形成されている。２８は前記断熱箱体２４の背面の一画に取り付けられて断熱箱体２４の内側の所定の部位に配置される送風機、ダンパー装置、製氷機、ヒーター、照明灯などの電気部品（図示せず）を駆動制御する制御基板である。
　【００１９】
　２９は前記制御基板２８と電機部品間を電気的に中継接続する中継コードであり、中間のコード３０の両端に圧接型接続端子３１、３２が取り付けられている。３３は前記制御基板２８の近傍の外箱２５に開口された取り出し孔であり、前記中継コードの圧接型接続端子３１が導出されている。また、３４は前記内箱２６の適所に開口された取り出し孔であり、前記中継コードの圧接型接続端子３２が導出されている。そして前記中継コードのは発泡断熱材２７中に埋設されている。このため、コード３０の配設が邪魔にならず制御基板２８や電気部品の近傍で作業性よく、すっきりとした接続ができる。
　【００２０】
　また、３５は前記制御基板２８の板上に取り付けられた接続端子であり、３６は電気部品の接続用のコード３７の先端に取り付けられた圧着・圧接中継型接続端子である。そして、前記中継コードの圧接型接続端子３１と前記制御基板の接続端子３５、および前記中継コードの圧接型接続端子３２と前記圧着・圧接中継型接続端子３６がそれぞれ接続されて制御基板２８により各電気部品が駆動制御されるものである。
　【００２１】
　ここで、中継コードの圧接型接続端子の構造を圧接型接続端子３２を例にとって説明する。ハウジング３８の内部にはコード圧接用のスロット３９を形成した端子４０が装着されており、コード３０をハウジング３８の上部開口面より圧入することにより絶縁被覆がスロット３９により破られてコード内部の導線とスロット３９が圧接し、結果としてコード３０と端子４０が電気的に導通するものである。
　【００２２】
　このため、接続端子の組立が非常に容易であり、自動化による対応が可能となって中継コードの組立工数の大幅な低減が可能となる。また、構造が簡素であるため接続端子が小型化でき、断熱箱体２４の取り出し孔３３、３４も合わせて小型化できる。このため、発泡時の断熱材の漏れが発生しにくく、内箱の取り出し孔３４の周囲の変形も防止でき組立精度と品位を高めることができる。また、小型化によるコスト低減や接続端子のコンパクトな収納が可能となる。
　【００２３】
　次に圧着・圧接中継型接続端子３６について説明する。電気部品から導出される接続用のコード３７は電気部品本体が付随しているため自動機対応ができず、接続端子は従来通り端子の加締め挿入の圧着型が要求される。このため、圧着・圧接中継型接続端子３６ではハウジング４１のコード３７側については端子４２にコード３７を加締めた圧着型構造をとり、ハウジング４１の中継コード２９側については、圧接型接続端子３２の端子４０に挿入接続される針部４３を前記端子４２の前部に一体に設けている。
　【００２４】
　これにより、中継コード２９が圧接型接続端子の形態をとっても直接、電気部品に接続することが可能となり、電気部品が圧着型接続であるために中継コードの電気部品側も圧着型接続端子を選定して工数、コストの低減や上述の組立精度、品位の改善の機会を失うという不合理がなくなる。
　【００２５】
　なお、中継コード２９に圧接型接続端子を採用し、自動組立化を行う場合、より簡便な自動化を図るために接続端子の標準化を進め識別性のない同色のものを採用するケースがあるが、この場合、複数の電気部品が近在する部位への配線は部位ごとに中継コード２９をテープなどで束ねたり、特に同端子数の接続端子が複数ある、場合には、中継コード２９の長さを変えて識別させるなどの配慮をすれば冷蔵庫への組立性を低下させることなく所期の効果を得ることができる。
　【００２６】
　【発明の効果】
　以上説明したように請求項１に記載の発明は、外箱と、内箱と、前記外箱と内箱間に
発泡
複数の
発泡
複数の
るとともに前記複数の中継コードの長さを変えることにより、前記複数の電気部品の先端と前記複数の中継コードの先端とに圧着型接続端子を用いて接続した場合よりも前記取り出し口を小型化した
中継コードの識別性も高まって
【図面の簡単な説明】
　【図１】
　本発明の実施例１による冷蔵庫の断熱箱体前面の斜視図
　【図２】
　同実施例の冷蔵庫の断熱箱体背面の斜視図
　【図３】
　同実施例の電気部品のコードの圧着・圧接中継型接続端子の断面図
　【図４】
　同実施例の中継コードの電気部品側の圧接型接続端子の断面図
　【図５】
　同実施例の中継コードの制御基板側の圧接型接続端子の斜視図
　【図６】
　同実施例の制御基板の接続端子の斜視図
　【図７】
　従来の冷蔵庫の断面図
　【図８】
　従来の冷蔵庫の中継コードの要部平面図
　【図９】
　従来の中継コードの電気部品側の圧着型接続端子の断面図
　【図１０】
　従来の電気部品のコードの圧着型接続端子の断面図
　【図１１】
　従来の中継コードの制御基板側の圧着型接続端子の斜視図
　【図１２】
　従来の制御基板の接続端子の斜視図
　【符号の説明】
　２４　断熱箱体
　２５　外箱
　２６　内箱
　２７　断熱材
　２８　制御基板
　２９　中継コード
　３１　圧接型接続端子
　３２　圧接型接続端子
　３３　取り出し孔
　３４　取り出し孔
　３６　圧着・圧接中継型接続端子
　３７　電気部品のコード